(57)【要約】【課題】袋口支持体に袋体を袋口部を上にして止着体により吊下状に開口支持し、袋体の袋口部を介して袋体内に詰投入し、袋体内に粉粒状物が所定量詰入された状態で袋口支持体は下方の袋離脱位置まで下降し、袋離脱位置の袋口支持体から袋体を離脱すると復帰機構により袋口支持体は袋止着位置に上昇復帰し、一人の作業者により袋詰め作業を行うことができる。【解決手段】袋体Ｗを袋口部Ｗ１を上にして吊下状に開口支持可能な袋口支持体１と、袋口支持体に袋体の袋口部を止着可能な止着体２と、袋口支持体を地上に設置可能な脚柱体３とからなり、袋口支持体を上方の袋止着位置Ｆと下方の袋離脱位置Ｋとの間で上下動作自在に設け、袋口支持体に開口支持された袋体内に詰入された粉粒状物Ｍによって袋離脱位置に下降位置している袋口支持体を袋体の離脱時に該袋止着位置に上昇復帰させる復帰機構７を設けてなる。【選択図】        図１
2004345706.tif 000002
【特許請求の範囲】
【請求項１】
袋体を袋口部を上にして吊下状に開口支持可能な袋口支持体と、該袋口支持体に該袋体の袋口部を止着可能な止着体と、該袋口支持体を地上に設置可能な脚柱体とからなり、上記袋口支持体を上方の袋止着位置と下方の袋離脱位置との間で上下動作自在に設け、該袋口支持体に開口支持された袋体内に詰入された粉粒状物によって該袋離脱位置に下降位置している該袋口支持体を袋体の離脱時に該袋止着位置に上昇復帰させる復帰機構を設けてなることを特徴とする粉粒状物袋詰補助具。
【請求項２】
上記袋口支持体は複数個の袋体をそれぞれ袋口部を上にして吊下状に開口支持可能に設けられていることを特徴とする請求項１記載の粉粒状物袋詰補助具。
【請求項３】
上記脚柱体は設置脚体と該設置脚体に立設された柱状体とからなり、該柱状体に上記復帰機構を設けてなることを特徴とする請求項１又は２記載の粉粒状物袋詰補助具。
【請求項４】
上記復帰機構として、上記柱状体を相互に上下動作自在な下柱体及び上柱体により形成し、該上柱体の上部に上記袋口支持体を取り付けると共に下柱体の下部に設置脚体を取り付け、該柱状体に復帰用バネを内装してなることを特徴とする請求項３記載の粉粒状物袋詰補助具。
【請求項５】
上記袋口支持体と柱状体と設置脚体とは相互に分離自在に設けられていることを特徴とする請求項３又は４記載の粉粒状物袋詰補助具。
【請求項６】
上記止着体は袋口支持体に袋体を抱締可能な弾性片からなることを特徴とする請求項１〜５のいずれか１項に記載の粉粒状物袋詰補助具。
【発明の詳細な説明】
【０００１】
【発明の属する技術分野】
本発明は例えば籾殻や肥料、わら屑、木材チップ等の粉粒状物を袋詰めする際に用いられる粉粒状物袋詰補助具に関するものである。
【０００２】
【従来の技術】
従来、この種の籾殻や肥料、わら屑、木材チップ等の粉粒状物の袋詰めに際しては、一人の作業者が袋体を開口握持し、もう一人の作業者が箕やスコップ等を用いて、籾殻や肥料等の粉粒状物を掬って袋体内に投入し、詰入後に袋体の袋口部の近傍位置の縛部位を止着紐により止着するようにしている。
【０００３】
【発明が解決しようとする課題】
しかしながら上記の如く、袋詰めに際しては、作業者が二人必要となり、二人掛かりの作業となるため非能率的であるという不都合を有している。
【０００４】
【課題を解決するための手段】
本発明はこのような課題を解決することを目的とするもので、本発明のうちで、請求項１記載の発明は、袋体を袋口部を上にして吊下状に開口支持可能な袋口支持体と、該袋口支持体に該袋体の袋口部を止着可能な止着体と、該袋口支持体を地上に設置可能な脚柱体とからなり、上記袋口支持体を上方の袋止着位置と下方の袋離脱位置との間で上下動作自在に設け、該袋口支持体に開口支持された袋体内に詰入された粉粒状物によって該袋離脱位置に下降位置している該袋口支持体を袋体の離脱時に該袋止着位置に上昇復帰させる復帰機構を設けてなることを特徴とする粉粒状物袋詰補助具にある。
【０００５】
又、請求項２記載の発明は、上記袋口支持体は複数個の袋体をそれぞれ袋口部を上にして吊下状に開口支持可能に設けられていることを特徴とするものであり、又、請求項３記載の発明は、上記脚柱体は設置脚体と該設置脚体に立設された柱状体とからなり、該柱状体に上記復帰機構を設けてなることを特徴とするものであり、又、請求項４記載の発明は、上記復帰機構として、上記柱状体を相互に上下動作自在な下柱体及び上柱体により形成し、該上柱体の上部に上記袋口支持体を取り付けると共に下柱体の下部に設置脚体を取り付け、該柱状体に復帰用バネを内装してなることを特徴とするものであり、又、請求項５記載の発明は、上記袋口支持体と柱状体と設置脚体とは相互に分離自在に設けられていることを特徴とするものであり、又、請求項６記載の発明は、上記止着体は袋口支持体に袋体を抱締可能な弾性片からなることを特徴とするものである。
【０００６】
【発明の実施の形態】
図１乃至図７は本発明の実施の形態例を示し、図１乃至図６は第一形態例、図７は第二形態例である。
【０００７】
図１乃至図６の第一形態例において、１は袋口支持体であって、上部が開口した四角形状の合成樹脂袋等の袋体Ｗを袋口部Ｗ１を上にして吊下状に開口支持可能に形成され、この場合、アルミニュウムパイプからなる平面四角枠状の外枠体１ａに十字状の内枠体１ｂを対角状に固着し、これにより三角形状の四個の袋口支持空間Ｒ・Ｒ・Ｒ・Ｒを形成し、この袋口支持空間Ｒ・Ｒ・Ｒ・Ｒに袋体Ｗを挿通して袋口部Ｗ１を三角形状に開口支持可能に設けられている。
【０００８】
２は止着体であって、この場合、合成樹脂製にして断面略半円弧状の八個の弾性片２ａにより形成され、かつ、止着体２の一方端部に紐体２ｂの一方端部を止着し、この紐体２ｂの他方端部を外枠体１ａに止着される四個の止着体２にあっては外枠体１ａに縛着すると共に内枠体１ｂに止着される四個の止着体２にあっては内枠体１ｂの中心部分の連結ボルト３に縛着し、袋口支持空間Ｒ・Ｒ・Ｒ・Ｒに挿通されて三角形状に開口した各袋口部Ｗ１を対向する外枠体１ａ及び内枠体１ｂの計三カ所に上方から巻き回し、内枠体１ｂにあっては隣り合う袋体Ｗを上方から互いに重ね合わせた状態で巻き回し、この袋口部Ｗ１の上方から止着体２を被せて外枠体１ａ及び内枠体１ｂの計三カ所に三個の止着体２を抱締止着し、これにより四個の袋体Ｗを開口支持固定するように設けて構成している。
【０００９】
４は脚柱体であって、この場合、設置脚体５と設置脚体５に立設された柱状体６とからなり、この柱状体６に復帰機構７を設けて構成している。
【００１０】
この場合、上記復帰機構７として、上記柱状体６を相互に上下摺動動作自在な下柱体７ａ及び上柱体７ｂにより形成し、この上柱体７ｂの上部に連結ボルト３により袋口支持体１を分離自在に取付固定し、下柱体７ａの下部を設置脚体５に設けた挿通筒部５ａに挿通して取付ボルト５ｂにより下柱体７ａの下部を設置脚体５に分離自在に取付固定し、上柱体７ｂに上下長穴７ｃを形成し、上下長穴７ｃにガイドボルト７ｄを挿通してガイドボルト７ｄを下柱体７ａに螺着固定し、上柱体７ｂ内にバネ受けカラー７ｅを固定し、バネ受けカラー７ｅと下柱体７ｂの端面との間に復帰用バネ７ｆを掛架内装している。
【００１１】
しかして、上柱体７ｂは上下長穴７ｃとガイドボルト７ｄとにより下柱体７ａに対して回り止め状態で上下摺動動作すると共に上柱体７ｂは復帰用バネ７ｆにより上下長穴７ｃの下端部とガイドボルト７ｄとが当接する位置で停止し、上柱体７ｂは復帰用バネ７ｆに抗して降下することになる。
【００１２】
又、この場合、上記上下長穴７ｃの下端部とガイドボルト７ｄとが当接している位置である上記袋口支持体１の上方の袋止着位置Ｆの高さＨ１は袋体Ｗの袋口部Ｗ１を開口支持した状態で袋体Ｗの底面がほぼ接地する高さに設定され、かつ、この袋口支持体１に開口支持された袋体Ｗ内に詰入された粉粒状物Ｍによって下方の袋離脱位置Ｋに下降し、この袋離脱位置Ｋに位置している袋口支持体１から袋体Ｗを離脱し、復帰機構７により袋口支持体１が袋止着位置Ｆに上昇復帰したとき、止着紐Ｌによる袋体Ｗの袋口部Ｗ１近傍の縛部位Ｗ２が袋口支持体１の下方に位置するような位置に袋離脱位置Ｋの高さＨ２を設定している。
【００１３】
この実施の第一形態例は上記構成であるから、図３、図５、図６の如く、袋口支持体１に袋体Ｗを袋口部Ｗ１を上にして巻き回し、止着体２により袋口部Ｗ１を吊下状に開口支持し、この状態で、例えば、野積み状態の籾殻や肥料、わら屑、木材チップ等の粉粒状物Ｍを箕やスコップ等を用いて袋体Ｗの袋口部Ｗ１を介して袋体Ｗ内に詰投入し、この詰入の進行に連れて袋体Ｗは膨出し、この袋体Ｗの膨出により上方の袋止着位置Ｆの高さＨ１に位置していた袋口部Ｗ１は下方に引張られ、このため、袋口支持体１は復帰機構７の復帰用バネ７ｆに抗して徐々に下降し、図６の想像線の如く、袋体Ｗ内に粉粒状物Ｗが所定量詰入された状態で袋口支持体１は下方の袋離脱位置Ｋの高さＨ２まで下降位置し、この袋体Ｗ内に粉粒状物Ｗが所定量詰入されたか否かを袋口支持体１を目安にすることもでき、定量詰入が容易となり、この状態で袋離脱位置Ｋに位置している袋口支持体１から袋体Ｗを離脱すると復帰機構７の復帰用バネ７ｆにより袋口支持体１は図６の実線位置である袋止着位置Ｆに上昇復帰し、袋体Ｗは詰入状態なのでそのまま起立し、袋口支持体１の下方位置に手を入れて止着紐Ｌにより袋体Ｗの袋口部Ｗ１近傍の縛部位Ｗ２を縛着することになり、このため、一人の作業者により袋詰め作業を行うことができ、袋積め作業を容易に行うことができる。
【００１４】
この場合、上記袋口支持体１は複数個の袋体Ｗをそれぞれ袋口部Ｗ１を上にして吊下状に開口支持可能に設けられているから、複数個の袋体Ｗに連続して詰入することができ、作業能率を向上することができ、又、この場合、上記脚柱体４は設置脚体５と設置脚体５に立設された柱状体６とからなり、この柱状体６に上記復帰機構７を設けてなるから、復帰機構７の構造を簡素化することができ、又、この場合、上記復帰機構７として、上記柱状体６を相互に上下動作自在な下柱体７ｂ及び上柱体７ａにより形成し、上柱体７ａの上部に上記袋口支持体１を取り付けると共に下柱体７ｂの下部に設置脚体５を取り付け、柱状体６に復帰用バネ７ｆを内装してなるから、復帰機構７の構造を簡素化することができる。
【００１５】
又、この場合、上記袋口支持体１と柱状体６と設置脚体５とは相互に分離自在に設けられているから、保管時等の不使用時においては、この三部材を分離することができ、収納保管スペースを少なくすることができ、又、この場合、上記止着体２は袋口支持体１に袋体Ｗを抱締可能な弾性片２ａからなるので、袋体Ｗを袋口支持体１に強固に止着することができると共に袋体Ｗの離脱を容易に行うことができる。
【００１６】
又、この場合、上記止着体２の一方端部に紐体２ｂの一方端部を止着しているから、紐体２ｂを引き上げることにより止着体２の他方端部を支点として一方端部が引き上がられることになり、それだけ止着体２の離脱を容易に行うことができ、袋体Ｗの離脱作業を容易に行うことができる。
【００１７】
図７の第二形態例は袋口支持体１の別例構造を示し、この場合、アルミニュウムパイプからなる平面四角枠状の外枠体１ａに十字状の内枠体１ｂを対辺状に固着し、これにより四角形状の四個の袋口支持空間Ｒ・Ｒ・Ｒ・Ｒを形成し、この袋口支持空間Ｒ・Ｒ・Ｒ・Ｒに袋体Ｗを挿通して袋口部Ｗ１を四角形状に開口支持可能に設けられ、かつ、合成樹脂製にして断面略半円弧状の１２個の止着体２としての弾性片２ａにより袋体Ｗの袋口部Ｗ１を抱締止着し、これにより四個の袋体Ｗを開口支持固定するように設けて構成している。
【００１８】
この第二形態例にあっても、上記第一形態例と同様な作用効果を得ることができる。
【００１９】
尚、本発明は上記実施の形態例に限られるものではなく、袋口支持体１の形態や支持個数、止着体２の形態や構造は適宜設計され、例えば、円環状や多角形状の外枠体１ａとすることができ、又、脚柱体４、復帰機構７の設置脚体の構造や材質等は適宜変更して設計されるものである。
【００２０】
【発明の効果】
本発明は上述の如く、請求項１記載の発明にあっては、袋口支持体に袋体を袋口部を上にして止着体により袋口部を止着して袋体を吊下状に開口支持し、この状態で、例えば、野積み状態の籾殻や肥料、わら屑、木材チップ等の粉粒状物を箕やスコップ等を用いて袋体の袋口部を介して袋体内に詰投入し、この詰入の進行に連れて袋体は膨出し、この袋体の膨出により上方の袋止着位置に位置していた袋口部は下方に引張られ、このため、袋口支持体は徐々に下降し、袋体内に粉粒状物が所定量詰入された状態で袋口支持体は下方の袋離脱位置の高さまで下降位置し、この袋離脱位置に位置している袋口支持体から袋体を離脱すると復帰機構により袋口支持体は袋止着位置に上昇復帰し、袋体は詰入状態なのでそのまま起立し、袋口支持体の下方位置に手を入れて袋体の袋口部を閉口止着することになり、このため、一人の作業者により袋詰め作業を行うことができ、袋積め作業を容易に行うことができる。
【００２１】
又、請求項２記載の発明にあっては、上記袋口支持体は複数個の袋体をそれぞれ袋口部を上にして吊下状に開口支持可能に設けられているから、複数個の袋体に連続して詰入することができ、作業能率を向上することができ、又、請求項３記載の発明にあっては、上記脚柱体は設置脚体と設置脚体に立設された柱状体とからなり、この柱状体に上記復帰機構を設けてなるから、復帰機構の構造を簡素化することができ、又、請求項４記載の発明にあっては、上記復帰機構として、上記柱状体を相互に上下動作自在な下柱体及び上柱体により形成し、上柱体の上部に上記袋口支持体を取り付けると共に下柱体の下部に設置脚体を取り付け、柱状体に復帰用バネを内装してなるから、復帰機構の構造を簡素化することができる。
【００２２】
又、請求項５記載の発明にあっては、上記袋口支持体と柱状体と設置脚体とは相互に分離自在に設けられているから、保管時等の不使用時においては、この三部材を分離することができ、収納保管スペースを少なくすることができ、又、請求項６記載の発明にあっては、上記止着体は袋口支持体に袋体を抱締可能な弾性片からなるので、袋体を袋口支持体に強固に止着することができると共に袋体の離脱を容易に行うことができる。
【００２３】
以上、所期の目的を充分達成することができる。
【図面の簡単な説明】
【図１】本発明の実施の第一形態例の全体斜視図である。
【図２】本発明の実施の第一形態例の分解斜視図である。
【図３】本発明の実施の第一形態例の全体平面図である。
【図４】本発明の実施の第一形態例の部分拡大断面図である。
【図５】本発明の実施の第一形態例の全体側面図である。
【図６】本発明の実施の第一形態例の使用状態図である。
【図７】本発明の実施の第二形態例の全体斜視図である。
【符号の説明】
Ｗ  袋体
Ｗ１  袋口部
Ｆ  袋止着位置
Ｍ  粉粒状物
Ｋ  袋離脱位置
１  袋口支持体
２  止着体
２ａ  弾性片
４  脚柱体
５  設置脚体
６  柱状体
７  復帰機構
７ａ  下柱体
７ｂ  上柱体
７ｆ  復帰用バネ
【図１】
2004345706.tif 000003
【図２】
2004345706.tif 000004
【図３】
2004345706.tif 000005
【図４】
2004345706.tif 000006
【図５】
2004345706.tif 000007
【図６】
2004345706.tif 000008
【図７】
2004345706.tif 000009